(57)【要約】【課題】硬質リップ付きハードルアーによる水中での良好な動作性能という利点と、中空の軟質材で形成されたボディの表面に釣針を備えたソフトルアーによる良好なフッキング性能という利点とを得ると共に、水流に対する抵抗力と水中の障害物に対する回避能力とを兼ね備えた硬質リップ付きの中空ソフトルアーを提供する。【解決手段】本発明に係るソフトルアーは、軟質材で形成された中空のソフトルアー本体２０と、ソフトルアー本体２０の前部に固定された硬質材から成る硬質リップ３０とを具え、硬質リップ３０が固定された部分を支点にして上方又は下方へ回動して弾性的に付勢されるようにソフトルアー本体２０に固定されている。硬質リップ３０は、ソフトルアー本体２０の前部に配設された水平方向に延在する凹部２１に挿入され固定されている。ソフトルアー本体３０は更に、前部の左右側面に凹部２１の窪み方向に対して少なくとも直角方向に拡がる２つの陥凹部２２を具え、２つの陥凹部２２の間に凹部２１の奥部分が位置する。【選択図】図２
2016185136.tif 000002
【特許請求の範囲】
【請求項１】
ソフトルアーにおいて、
軟質材で形成された中空のソフトルアー本体と、
前記ソフトルアー本体の前部に固定された硬質材から成る硬質リップとを具え、
前記硬質リップが前記固定された部分を支点にして上方又は下方へ回動して弾性的に付勢されるように前記ソフトルアー本体に固定されていることを特徴とするソフトルアー。
【請求項２】
請求項１に記載のソフトルアーにおいて、前記硬質リップは、前記ソフトルアー本体の前部に配設された水平方向に延在する凹部に挿入され固定されていることを特徴とするソフトルアー。
【請求項３】
請求項２に記載のソフトルアーにおいて、前記ソフトルアー本体が更に、前記前部の左右側面に前記凹部の窪み方向に対して少なくとも直角方向に拡がる２つの陥凹部を具え、前記２つの陥凹部の間に前記凹部の奥部分が位置することを特徴とするソフトルアー。
【請求項４】
請求項１〜３の何れか１項に記載のソフトルアーにおいて、前記硬質リップは、少なくとも前記ソフトルアー本体の表面に当接するまで回動可能であることを特徴とするソフトルアー。
【請求項５】
請求項１〜４の何れか１項に記載のソフトルアーにおいて、前記硬質リップは、前記ソフトルアーが水中の障害物に根がかりした場合に上方又は下方に回動して弾性的に付勢されることを特徴とするソフトルアー。
【請求項６】
請求項１〜５の何れか１項に記載のソフトルアーにおいて、前記ソフトルアー本体は、前記ソフトルアーが水中の障害物に根がかりした場合に潰れて弾性変形することを特徴とするソフトルアー。
【請求項７】
請求項１〜６の何れか１項に記載のソフトルアーが更に、前記ソフトルアー本体の表面に沿うように配設された第１のフックを具えることを特徴とするソフトルアー。
【請求項８】
請求項１〜７の何れか１項に記載のソフトルアーが更に、前記ソフトルアー本体の前部から突出するラインアイを具え、前記ラインアイが前記ソフトルアー本体の内部で前記第１のフックに接続され、前記ラインアイと前記第１のフックとの接続部分が熱収縮チューブで固定されていることを特徴とするソフトルアー。
【請求項９】
請求項１〜８の何れか１項に記載のソフトルアーが更に、前記ソフトルアー本体の後部に取り付けられる第２のフックと、前記第２のフックに接続するためにソフトルアー本体の後部から突出するワイヤとを具え、前記ワイヤが前記ラインアイと前記第１のフックとの接続部分に接続され、前記熱収縮チューブで固定されていることを特徴とするソフトルアー。
【請求項１０】
請求項１〜９の何れか１項に記載のソフトルアーがクランクベイト型であることを特徴とするソフトルアー。
【発明の詳細な説明】
【技術分野】
【０００１】
本発明は、ソフトルアーに関し、特に軟質材から成る中空のソフトルアー本体に硬質材で形成された硬質リップを装着することにより水中での良好な動作性能を得ると共に、水中の障害物に対する回避能力を格段と向上させたソフトルアーに関する。
【背景技術】
【０００２】
従来から釣用ルアー（疑似餌）は、金属、木、プラスチック（硬質、軟質）など様々な素材で製作されている。主にハードプラスチック製のルアー（ハードルアー）とソフトプラスチック製のルアー（ソフトルアー）が主流になっている。ハードプラスチック製のルアーは、水中での潜水機能や左右方向の揺動機能といった動作をつけるために正面にリップと呼ばれるパーツを金属又は同硬度の硬質プラスチックを一体成形又は後付けで取り付けることによって生産される。一方でソフトプラスチック製のルアーは本体が軟らかいため、本体そのものの形が水中で水流を受けて変形しながら動作する。
【０００３】
しかしながら、硬質プラスチック、金属、木製のハードルアーは、動作をつけるためにリップの長さや形を変えることで容易に行うことができるが、本体が硬いため魚を針掛かりさせるために本体の外に釣針を取り付けなければならなかった。また、リップが硬いため水中の石、岩場、コンクリートブロック、海藻等の障害物に根がかりし易いといった課題があった。一方でソフトルアーは、魚が食らいついたときに釣針が突出するように本体の表面に沿った釣針が取り付けられるため、釣針による根がかりは少ないが動作をつけることは容易ではなかった。
【０００４】
このような背景において、硬質リップを取り付けたソフトルアーが公知である（例えば、特許文献１及び２を参照）。特許文献１は、ワームを模した軟質材からなるルアー本体に対してリップ部材を容易に着脱できるようにしたワームルアー用リップ部材を開示する。特許文献２は、リップとボディの間に棒状のステイを介在させ、更に芯材を軟質合成樹脂の被覆材で覆ってボディを形成することにより、水流の抵抗でリップの左右方向が変化するルアーを開示する。しかしながら、これらのルアーのボディは何れも中空ではなく、本体の外に釣針を取り付けなければならないため、釣針が水中の障害物に根がかる懸念があり、また、本体の表面に沿うように釣針を設ける場合と比べてフッキング性能が劣る。
【０００５】
また、頭部を硬質材で形成した硬質リップ付きソフトルアーが公知である（例えば、特許文献３及び４を参照）。特許文献３は、リップやフック取り付け用金具などを取り付ける部分をハード系素材のハードヘッドとして耐久性を確保し、一方でルアー本体はソフト系素材で形成することで疑似餌としての外観を確保したルアーを開示する。特許文献４は、硬質合成樹脂からなるルアー頭部の後方に金属製ワイヤを設け、この金属製ワイヤを内包するように軟質合成樹脂からなるルアー体部を連結することにより、軟質のルアー体部を相対的に長く設けて水中でのしなやかな動きを演出したルアーを開示する。しかしながら、これらのルアーのボディは何れも中空ではないため、上述したような課題を有する。また、硬質リップがハードヘッドに取り付けられているため、釣針だけでなく硬質リップが水中の障害物に根がかり易い。
【０００６】
更に、ボディを中空の軟質材で形成した中空ソフトルアーが公知である（例えば、特許文献５を参照）。特許文献５は、フックの針先が位置付けられる本体の一方面と対向する他方面に該本体よりも硬質な硬質部を形成し、本体の他方面の変形を硬質部によって制限することによって、魚が本体を咥える方向に関係なくフックが大きく突出してフッキング率を向上させたルアーを開示する。しかしながら、このルアーに硬質リップを装着したとしても、ボディが中空の軟質材で形成されているため、硬質リップが水流に対する抵抗力を得るのは容易ではなく、また、硬質リップを固定すると水中の障害物に根がかりしてしまうという課題が残る。
【０００７】
加えて、回動可能な硬質リップを取り付けたルアーが公知である（例えば、特許文献６及び７を参照）。特許文献６は、ルアーの飛行時の回転を防止し、飛行姿勢を安定させ飛距離を伸ばし、水中での動きをよりよくするため、アームを介してリップをボディに接続し、そのアームの先をルアー本体の両側面にビスなどで可動的に取り付け、そこを支点としてリップがフラップ状に動くように構成したルアーを開示する。同様に、特許文献７は、リップの両脇からそれぞれアームを伸ばし、そのアームの先端を支点としてリップを可動的に設置する形態とし、キャスト時にはリップがボディの長軸方向とおよそ平行に、そしてリトリーブ時にはリップの角度が進行方向前方からおよそ９０度あるいは９０度以上となる位置でリップを可動的に設置したルアーを開示する。しかしながら、これらのルアーの硬質リップの進行方向後方には、水流に対する抵抗力を得るために回動角度を制限するストッパーが有るため、硬質リップが水中の障害物に根がかってしまう。
【先行技術文献】
【特許文献】
【０００８】
【特許文献１】実用新案登録第３１５１２７２号
【特許文献２】特開２００４−２２２５７７号公報
【特許文献３】実用新案登録第３０１９３４８号
【特許文献４】特開２００２−６５１１４号公報
【特許文献５】特開２０１０−５７４０４号公報
【特許文献６】実用新案登録第３１６５３９１号
【特許文献７】実用新案登録第３１７１３０６号
【発明の概要】
【発明が解決しようとする課題】
【０００９】
本発明は、かかる事情に鑑みてなされたものであり、硬質リップ付きハードルアーによる水中での良好な動作性能という利点と、中空の軟質材で形成されたボディの表面に釣針を備えたソフトルアーによる良好なフッキング性能という利点とを得ると共に、水流に対する抵抗力と水中の障害物に対する回避能力とを兼ね備えた硬質リップ付きの中空ソフトルアーを提供することを目的とする。
【課題を解決するための手段】
【００１０】
上記目的を達成するために、本発明に係るソフトルアーは、軟質材で形成された中空のソフトルアー本体と、ソフトルアー本体の前部に固定された硬質材から成る硬質リップとを具え、硬質リップが固定された部分を支点にして上方又は下方へ回動して弾性的に付勢されるように前記ソフトルアー本体に固定されていることを特徴とする。ここで、「弾性的に付勢される」とは、ばねのように元の位置に戻るエネルギ（復元力）を蓄えた状態を意味する。このような態様によれば、硬質リップの水流に対する抵抗力が得られるだけではなく、水中の障害物に根がかった場合に硬質リップが上方又は下方へ回動して障害物を回避する能力を得ることができる。
【００１１】
本発明の一実施形態において、硬質リップは、ソフトルアー本体の前部に配設された水平方向に延在する凹部に挿入され固定されていることが好ましい。このような態様によれば、硬質リップの挿入部分がソフトルアー本体に包まれるため、穴部などを設けて取り付ける場合と比べて、硬質リップの水流に対する抵抗力と、元の位置に戻る復元力とを向上させることができる。
【００１２】
上記実施形態において、ソフトルアー本体が更に、前部の左右側面に凹部の窪み方向に対して少なくとも直角方向に拡がる２つの陥凹部を具え、２つの陥凹部の間に凹部の奥部分が位置することが好ましい。このような態様によれば、凹部の奥部分が２つの陥凹部に挟まれる（固定される）ことにより、２つの陥凹部が硬質リップの回動を抑制するため、硬質リップの水流に対する抵抗力と、元の位置に戻る復元力とを向上させる。
【００１３】
本発明の一実施形態において、硬質リップは、少なくともソフトルアー本体の表面に当接するまで回動可能であることが好ましい。このような態様によれば、硬質リップがソフトルアー本体から突出しなくなるため、水中での障害物の回避能力が向上する。
【００１４】
本発明の一実施形態において、硬質リップは、ソフトルアーが水中の障害物に根がかった場合に上方又は下方に回動して弾性的に付勢されることが好ましい。硬質リップは、水流によって実質的に回動しないように固定されているが、水中の障害物に根がかった場合には上方又は下方に回動して弾性的に付勢されるため、水中の障害物を回避することができる。
【００１５】
本発明の一実施形態において、ソフトルアー本体は、ソフトルアーが水中の障害物に根がかりした場合に潰れて弾性変形することが好ましい。本発明に係るソフトルアーは、水流によって実質的に潰れない本体を有するが、水中の障害物に根がかった場合には潰れて弾性変形するため、水中の障害物を回避することができる。
【００１６】
本発明の一実施形態において、ソフトルアー本体の表面に沿うように配設された第１のフックを具えることが好ましい。このような態様によれば、魚が食らいついたときに釣針が突出して魚を針に掛けることができるため、良好なフッキング性能を得ることができる。
【００１７】
本発明の一実施形態において、ソフトルアー本体の前部から突出するラインアイを具え、ラインアイがソフトルアー本体の内部で第１のフックに接続され、ラインアイと第１のフックとの接続部分が熱収縮チューブで固定されることが好ましい。このような態様によれば、ソフトルアー本体の骨格が頑強になるため、ソフトルアーを真っ直ぐ泳がせることができる。
【００１８】
本発明の一実施形態において、ソフトルアー本体の後部に取り付けられる第２のフックと、第２のフックに接続するワイヤとを具え、ワイヤがラインアイと第１のフックとの接続部分に接続され、熱収縮チューブで固定されていることが好ましい。ワイヤがラインアイ及び第１のフックと一体的に熱収縮チューブで固定されることにより、ソフトルアーを更に真っ直ぐ泳がせることができる。
【００１９】
本発明の一実施形態において、本発明に係るソフトルアーがクランクベイト型であることが好ましい。本発明に係るソフトルアーは、ミノー型やダーター型などの浅く潜るタイプと比べて、特に水中に深く潜るクランクベイト型ルアーにおいて水中の障害物の回避能力の効果が大きい。
【発明の効果】
【００２０】
本発明によれば、硬質リップ付きハードルアーによる水中での良好な動作性能という利点と、中空の軟質材で形成されたボディの表面に釣針を備えたソフトルアーによる良好なフッキング性能という利点とを得ると共に、水流に対する抵抗力と水中の障害物に対する回避能力とを兼ね備えた硬質リップ付きの中空ソフトルアーを提供することができる。
【図面の簡単な説明】
【００２１】
【図１】図１は、本発明に係るソフトルアーの一実施形態を示す側面図である。
【図２】図２は、本発明に係るソフトルアーの一実施形態を示す側断面図である。
【図３】図３は、本発明に係るソフトルアーの一実施形態を示す正面図である。
【図４】図４は、水中の障害物に根がかりした場合の本発明に係るソフトルアーの一実施形態の動作を示す図である。
【発明を実施するための形態】
【００２２】
以下、本発明の一実施形態について図面を参照しつつ説明する。図１は本発明に係るソフトルアーの一実施形態を示す側面図であり、図２は本発明に係るソフトルアーの一実施形態を示す側断面図であり、図３は本発明に係るソフトルアーの一実施形態を示す正面図である。図１に示すように、ソフトルアー１０は、軟質合成樹脂材料を型に流し込んで成形された中空のソフトルアー本体２０と、ソフトルアー本体２０の前部に固定された硬質材料（硬質合成樹脂、金属、及び木材など）から成る硬質リップ３０とを具える。本実施形態のソフトルアー１０は、水中に深く潜ることが可能なクランクベイト型ルアーである。
【００２３】
図２に示すように、ソフトルアー本体２０の頭部の口部分には、水平方向Ｈに延在する凹部２１が配設される。凹部２１の窪み方向は、硬質リップ３０が進行方向前方で斜め下方に配向されるように設定される。凹部２１に硬質リップ３０を挿入し、エポキシ系接着剤等の耐水性の接着剤４０を使用して硬質リップ３０をソフトルアー本体２０に固定する。硬質リップ３０をソフトルアー本体２０の凹部２１に挿入する（包み込む）ことにより、固定された部分を支点にして硬質リップ３０を下方へ回動させ弾性的に付勢させることができる。この凹部２１により、硬質リップ３０の水流に対する抵抗力が増大すると共に、水中の障害物に根がかった場合に回動した硬質リップ３０の復元力が向上する。
【００２４】
図１及び図３に示すように、ソフトルアー本体２０の頭部の左右側面には、凹部２１の窪み方向Ｂに対して少なくとも直角方向Ｒに拡がる２つの陥凹部２２が配設される。２つの陥凹部２２の外側には、軟質合成樹脂で形成された魚の目玉が接着剤等により接着される。また、２つの陥凹部２２の間には、硬質リップ３０が固定される凹部２１の奥部分が位置する。凹部２１の奥部分が２つの陥凹部２２に挟まれる（固定される）ことにより、２つの陥凹部２２が硬質リップ３０の回動を抑制するため、硬質リップ３０の水流に対する抵抗力が更に増大すると共に、水中の障害物に根がかった場合に回動した硬質リップ３０の復元力が更に向上する。
【００２５】
図３に示すように、硬質リップ３０は、ソフトルアー１０が真っ直ぐ泳ぐようにソフトルアー本体２０の水平方向Ｈに対して平行に固定される。したがって、硬質リップ３０が挿入される凹部２１も水平方向Ｈに延在する。硬質リップ３０は、少なくともソフトルアー本体２０の表面に当接するまで回動可能である。
【００２６】
図２に示すように、ソフトルアー１０は更に、ソフトルアー本体２０の表面に沿うように配設された第１のフック５０と、ライン（釣糸）に接続するためにソフトルアー本体２０の前部から突出するステンレス製のラインアイ６０とを具える。第１のフック５０は、ソフトルアー本体２０の左右側面に沿うように２つの釣針を溶接等で固定したダブルフックである。第１のフック５０は、魚が食いついた際に中空のソフトルアー本体２０が潰れて弾性変形すると突出する。第１のフック５０は、ソフトルアー本体２０の内部に位置する円環状の針元部５１と、ソフトルアー本体２０の腹部から後方に突出し、ソフトルアー本体２０の左右側面に沿って上方へ向かい、更に前方へ向かうように形成された２つの針先部５２とを有する。
【００２７】
図２に示すように、ラインアイ６０は、ラインを接続する円環状の前端部６１と、第１のフック５０に接続する円環状の後端部６２とを有する。図３に示すように、ラインアイ６０の円環状の前端部６１は、ソフトルアー１０が真っ直ぐ泳ぐようにソフトルアー本体２０の垂直方向Ｈに対して平行に取り付けられる。ラインアイ６０の円環状の後端部６２は、ソフトルアー本体２０の内部で第１のフック５０の円環状の針元部５１に接続される。ラインアイ６０と第１のフック５０との接続部分７０を熱収縮チューブ７１で固定することにより、ソフトルアー本体２０の骨格が頑強になるため、ソフトルアー１０を真っ直ぐ泳がせることができる。
【００２８】
図２に示すように、ソフトルアー１０は選択的に、ソフトルアー本体２０の後部に取り付けられる第２のフック８０と、第２のフック８０に接続するスプリットリング９０と、第２のフック８０に接続するためにソフトルアー本体２０の後部から突出する金属製のワイヤ１００とを具える。第２のフック８０は、３つの釣針を溶接等で固定したトリプルフックであり、３つの針先部８１と、スプリットリング９０に接続される円環状の針元部８２とを具える。スプリットリング９０は更に、ワイヤ１００に接続される。ワイヤ１００は、ラインアイ６０及び第１のフック５０の接続部分７０に接続される前端部１０１と、スプリットリング９０に接続する後端部１０２とを有する。ワイヤ１００の前端部１０１は、ラインアイ６０及び第１のフック５０と一体的に熱収縮チューブ７１で固定される。
【００２９】
図２に示すように、ソフトルアー１０は選択的に、ソフトルアー本体２０の腹部に取り付けられる第３のフック（図示しない）と、第３のフックに接続するスプリットリング（図示しない）と、第３のフックに接続するためにソフトルアー本体２０の腹部から突出するステンレス製の取付部材１１０とを具える。第３のフック及びスプリットリングは、第２のフック８０及びスプリットリング９０と同様の部材を利用することができる。取付部材１１０は、ソフトルアー本体２０の内部でラインアイ６０の後端部６２に接続する前端部１１１と、第３のフックを接続する後端部１１２とを有する。取付部材１１０の前端部１１０は、ラインアイ６０、第１のフック５０、及びワイヤ１００と一体的に熱収縮チューブ７１で固定される。
【００３０】
図２に示すように、ソフトルアー１０は更に、ソフトルアー１０の姿勢がひっくり返らないようにソフトルアー本体２０の腹部に配設された亜鉛製の錘１２０と、音を鳴らして集魚性能を高めるためにソフトルアー本体２０の内部に挿入された２つのステンレス製のラトルボール１３０とを具える。錘１２０は、ソフトルアー１０の重心位置でソフトルアー本体２０の腹部を貫通し、リベット状に固定される。
【００３１】
ここで図４を参照して、本実施形態のソフトルアー１０の動作について詳細に説明する。図４は、水中の障害物に根がかりした場合の本発明に係るソフトルアーの一実施形態の動作を示す図である。図４（ａ）に示すように、ルアーが水中の障害物Ｏに根がかりした場合、従来の硬質リップ付きのハードルアーではライン１４０を障害物Ｏとは逆方向に向けない限り障害物Ｏの回避は困難であった。しかしながら、図４（ｂ）に示すように、本発明に係るソフトルアー１０では、ロッドを手前に引くか又はリトリーブするだけで硬質リップ３０が下方に回動して弾性的に付勢されると共に（矢印Ａを参照）、ソフトルアー本体２０が潰れて弾性変形するため（矢印Ｂを参照）、水中の障害物Ｏを容易に回避することができ、水中へのルアーの残存を減らすことができる。また、図４（ｃ）に示すように、下方に付勢された硬質リップ３０は、障害物Ｏを回避した後、２つの陥凹部２２（図３を参照）の間に奥部分が位置する凹部２１の復元力によって元の位置に復元する。
【００３２】
代替実施形態として、本発明に係るソフトルアーは、魚の形態に限定されるものではなく、昆虫、蛙、オタマジャクシ、イモリなどの形態を採用することができる。また、別の代替実施形態として、硬質リップが進行方向前方で斜め上方に配向されるようにソフトルアー本体の凹部を形成してもよい。この場合、硬質リップの下方にラインアイが突出するように構成し、水中の障害物に引っ掛かった場合、硬質リップは上方へ回動して弾性的に付勢される。このように、本発明に係るソフトルアーは、特許請求の範囲から外れることなく、様々な変更を加えることができることを理解されたい。したがって、本明細書及び添付した図面に示される事項は、限定するよう解釈すべきではない。
【産業上の利用可能性】
【００３３】
本発明に係るソフトルアーは、水中の障害物が多い湖沼、池、ダム、河川、海等の様々な場所で行う魚釣りに利用することができる。
【符号の説明】
【００３４】
１０      ソフトルアー
２０      ソフトルアー本体
２１      凹部
２２      陥凹部
３０      硬質リップ
４０      接着剤
５０      第１のフック
６０      ラインアイ
７０      接続部分
７１      熱収縮チューブ
８０      第２のフック
９０      スプリットリング
１００    ワイヤ
１１０    取付部材
１２０    錘
１３０    ラトルボール
１４０    ライン
【図１】
2016185136.tif 000003
【図２】
2016185136.tif 000004
【図３】
2016185136.tif 000005
【図４】
2016185136.tif 000006